(57)【要約】【課題】ドアトリムに取り付けられるドアグリップの取付構造であって、ドアの開け閉めを頻繁に行なっても、ドアグリップとドアトリム本体との間の合わせ部分にスキ等の発生を抑え外観見栄えを高める。【解決手段】ドアグリップ３０は、製品背面側に位置し、ドアトリム本体２０とドアパネル６０に共締めされるグリップベース４０と、グリップベース４０に対して製品周縁部に沿って爪係合され、製品表面側に位置するグリップカバー５０とから構成され、グリップカバー５０は、グリップベース４０に爪係合されるとともに、ドアトリム本体２０に対してグリップカバー５０の長手方向端末に設けた嵌合用突起５２をドアトリム本体２０の嵌着孔２７に嵌合固定することで、ドアグリップ３０の動きにドアトリム本体２０を追従させ、合わせ部分Ａのスキを解消する。【選択図】　図３
2004114914.tif 000002
【特許請求の範囲】
【請求項１】
グリップベース（４０）とグリップカバー（５０）とから構成され、双方の周縁部に沿って両者が固着されるドアグリップ（３０）をドアトリム（１０）に取り付けるドアグリップ（３０）の取付構造であって、ドアトリム本体（２０）と車体パネル（６０）に対してグリップベース（４０）を共締め固定した後、グリップカバー（５０）の長手方向の少なくとも一方端とドアトリム本体（２０）のいずれか一方に嵌合用突起（５２）、他方に嵌着孔（２７）を設け、嵌合用突起（５２）を嵌着孔（２７）内に嵌着することで、ドアグリップ（３０）におけるグリップカバー（５０）と、ドアトリム本体（２０）とを一体化し、ドアグリップ（３０）とドアトリム本体（２０）の製品表面を常に同一表面に維持するようにしたことを特徴とするドアグリップの取付構造。
【請求項２】
前記ドアグリップ（３０）におけるグリップカバー（５０）の長手方向端末に設けた嵌合用突起（５２）には、ドアトリム本体（２０）の嵌着孔（２７）内に嵌着操作する際にガイドとして機能する傾斜面（５２ａ）が設けられていることを特徴とする請求項１に記載のドアグリップの取付構造。
【発明の詳細な説明】
【０００１】
【発明の属する技術分野】
この発明は、ドアトリムに取り付けられるドアグリップの取付構造に係り、特にドアグリップを掴んでドアの開閉操作を繰り返しても、ドアトリムとドアグリップとの間にズレが発生することがないようにしたドアグリップの取付構造に関する。
【０００２】
【従来の技術】
図６はドアパネルの室内側に取り付けられるドアトリム１を示すもので、このドアトリム１は、図示しないドアパネルへの取付剛性を備え、所望の曲面形状に成形されたドアトリム本体２の表面に各種機能部品を取り付けて構成されている。
【０００３】
上記ドアトリム本体２は、ポリプロピレン（以下、ＰＰという）樹脂等の汎用樹脂の射出成形体、あるいはモールドプレス成形体をベースとし、所望ならば、製品表面に不織布、織布等の表皮を貼付して、手触り感を向上させるようにしても良い。
【０００４】
そして、このドアトリム本体２の表面には、ドアの開け閉めの際に使用するドアグリップ３が製品の略中央部に取り付けられているとともに、ドアトリム本体２には、ドアグリップ３のフロント側に隣接するように、パワーウインドウスイッチ等のスイッチエスカッション２ａが取り付けられている。更に、備品を収容できるドアポケット２ｂがドアトリム本体２の下側に設けられ、そのフロント側にはスピーカグリル２ｃが形成されている。
【０００５】
上記ドアグリップ３は、グリップベース４とグリップカバー５とからなり、両側縁の複数箇所で爪係合することにより、中空状のドアグリップ３を構成する。そして、このドアグリップ３をドアトリム本体２に取り付けるには、図７に示すように、グリップベース４の長手方向両端末をドアトリム本体２及びドアパネル６に対してビス７により共締め固定して、グリップベース４を固定するとともに、グリップカバー５については、上述したように、長手方向の両側縁に沿ってグリップベース４とグリップカバー５とを複数箇所で爪係合することにより取り付けられており、グリップカバー５自体はドアトリム本体２に対して直接固着されてはいない（例えば、特許文献１参照。）。
【０００６】
【特許文献１】
特開平１１−１３９１６０号公報　（第４頁、第５頁、図４、図７、図１０）
【０００７】
【発明が解決しようとする課題】
このように、従来のドアグリップ３の取付構造においては、製品表面側に位置するグリップカバー５と、背面側（取付面側）に位置するグリップベース４との分割体から構成するとともに、グリップベース４をドアトリム本体２及びドアパネル６にビス７等により共締め固定しているが、グリップカバー５については、グリップベース４の周縁部に沿って複数ポイントで爪係合により固定しているという構成で、グリップカバー５がグリップベース４に固着されているだけで、ドアトリム本体２に直接取り付けられていないため、ドアの開閉操作時、ドアグリップ３を掴んでドアの開け閉めを行なった場合、特にドアを閉鎖するときにグリップカバー５が矢印方向にずれるため、パワーウインドウスイッチ等のスイッチエスカッション２ａとの間の合わせ部分ａにズレが生じ易く、外観見栄えを低下させる要因となっている。
【０００８】
この発明は、このような事情に鑑みてなされたもので、ドアトリムに取り付けられるドアグリップの取付構造に係り、従来、ドアトリムに直接固着されていないグリップカバーについても、ドアトリム本体との間で嵌合構造を採用することにより、ドアの開け閉めを頻繁に行なっても、ドアグリップとドアトリム本体との間の合わせ部分にズレが発生することがなく、外観見栄えを長期に亘り維持できるドアグリップの取付構造を提供することを目的とする。
【０００９】
【課題を解決するための手段】
上記目的を達成するために、本発明は、グリップベースとグリップカバーとから構成され、双方の周縁部に沿って両者が固着されるドアグリップをドアトリムに取り付けるドアグリップの取付構造であって、ドアトリム本体と車体パネルに対してグリップベースを共締め固定した後、グリップカバーの長手方向の少なくとも一方端とドアトリム本体のいずれか一方に嵌合用突起、他方に嵌着孔を設け、嵌合用突起を嵌着孔内に嵌着することで、ドアグリップにおけるグリップカバーと、ドアトリム本体とを一体化し、ドアグリップとドアトリム本体の製品表面を常に同一表面に維持するようにしたことを特徴とする。
【００１０】
ここで、ドアグリップは、製品表面側に位置するグリップカバーと、製品裏面、すなわちドアトリム取付側に位置するグリップベースとから構成され、グリップカバー及びグリップベースは、ＰＰ樹脂等、合成樹脂の射出成形体から構成され、グリップベースの長手方向両端側には、ドアトリム本体及びドアパネルに共締めするための取付孔が開設されている。
【００１１】
更に、グリップベースとグリップカバーは、長手方向両側縁に一方側に係止爪、他方側に係止用凹部が形成され、複数箇所で爪係合されることで両者は簡単に組み付けられる。
【００１２】
また、グリップカバーは、長手方向一方端側にドアトリム本体の係止孔に係止する係止爪が設けられ、他方端側には、ドアトリム本体の嵌着孔に嵌合する嵌合用突起が形成されている。
【００１３】
そして、本発明に係るドアグリップの取付構造によれば、ドアの開閉操作時、ドアグリップに引張り力や押圧力が作用しても、グリップカバーの長手方向一方端はドアトリム本体に爪係合され、他方端は嵌合用突起がドアトリム本体の嵌着孔に嵌合固定されており、ドアグリップにおけるグリップカバーとドアトリム本体とが一体化しているため、ドアグリップの特にグリップカバーの動きにドアトリム本体が追従することから、ドアトリム本体とドアグリップとの合わせ部分にスキ、段差等が生じることがない。
【００１４】
また、本発明の好ましい実施形態としては、グリップカバーに設ける嵌合用突起は、取付方向に対してテーパー面となる傾斜面が設定されているため、グリップカバーの取付時にこの傾斜面がガイド機能を果たすことから、ドアグリップの取り付けを円滑に行なうことができる。
【００１５】
【発明の実施の形態】
以下、本発明に係るドアグリップの取付構造の好適な実施の形態について、添付図面を参照しながら詳細に説明する。
【００１６】
図１は本発明に係るドアグリップの取付構造を採用したドアトリムを示す正面図、図２は同ドアグリップの要部を示す斜視図、図３，図４は同ドアグリップの取付構造を示す各断面図、図５は同ドアグリップの取付構造の変形例を示す断面図である。
【００１７】
まず、図１乃至図４に基づいて、本発明に係るドアグリップの取付構造における一実施形態について説明する。図１において、自動車用ドアトリム１０は、所望の曲面形状に成形され、ドアパネルに対する取付剛性を備えたドアトリム本体２０をベースとしており、表面中央部に室内側に膨出するアームレストがドアトリム本体２０と一体、あるいは別体に設けられている。そして、このドアトリム本体２０の中接部２１には、クロス，シート，不織布シート等の装飾シートが装着され、意匠性を高めるとともに、ドアトリム本体２０の表面下側には、備品を収容できるドアポケット２２が設けられており、そのフロント側にスピーカグリル２３が一体形成されている。
【００１８】
また、乗員の手の届き易い箇所には、ドアウインドウガラスの昇降操作時に使用するパワーウインドウスイッチを装備したスイッチエスカッション２４が取り付けられている。そして、このスイッチエスカッション２４と隣接するように、本発明に係るドアグリップ３０がドアトリム本体２０に取り付けられている。
【００１９】
このドアグリップ３０は、図２乃至図４に示すように、製品表面側に位置するグリップベース４０と、製品背面側に位置するグリップカバー５０との分割体同士を組み付けることにより、中空状のドアグリップ３０を提供している。上記グリップベース４０及びグリップカバー５０は、ＰＰ樹脂等、汎用の合成樹脂の射出成形体から構成されている。
【００２０】
そして、グリップベース４０及びグリップカバー５０の接合形態としては、長手方向両側縁に沿って一方側に係止爪、他方側に係止用凹部が形成され、係止用凹部に係止爪を係着することで、グリップベース４０とグリップカバー５０とが簡単に組み付けられる。
【００２１】
次に、グリップベース４０及びグリップカバー５０のドアトリム本体２０に対する取付構造について説明する。まず、グリップベース４０は、長手方向両端側に取付孔４１が開設されており、この取付孔４１に共締め用のビス４２を挿入して、ドアトリム本体２０の取付孔２５を通してドアパネル６０に共締め固定することで、グリップベース４０は、ドアトリム本体２０並びにドアパネル６０に強固に固定される。
【００２２】
一方、グリップカバー５０は、長手方向一方端に係止爪５１がフック状に形成され、この係止爪５１は、ドアトリム本体２０の係止孔２６の縁部２６ａに係着されるとともに、スイッチエスカッション２４と隣接するグリップカバー５０の他方端は、嵌合用突起５２が外方に向け突設形成され、この嵌合用突起５２は、ドアトリム本体２０の嵌着孔２７内に嵌着固定される（図３，図４参照）。
【００２３】
本発明に係るドアグリップ３０の取付構造は、以上のように構成されているため、例えば、ドアの開閉操作時、図３中矢印方向にドアグリップ３０に外力が作用するが、特に、矢印方向の室内側に向く引張り力が作用したとき、グリップカバー５０の嵌合用突起５２がドアトリム本体２０の嵌着孔２７内に嵌着しているため、グリップカバー５０の動きに追従して、ドアトリム本体２０及びこれに装着されているスイッチエスカッション２４が追従して動くため、グリップカバー５０とスイッチエスカッション２４との合わせ部分（図３中Ａで示す）にスキ、段差等が生じることがなく、常にグリップカバー５０とスイッチエスカッション２４との表面をほぼ面一上に維持でき、良好な意匠性を長期に亘り確保できる。
【００２４】
また、本発明に係るドアグリップ３０の取付構造によれば、製品表面側に位置するグリップカバー５０についても、ドアトリム本体２０に対する嵌合構造を採用したため、従来のように、ドアトリム本体と直接固着しないタイプの取付構造に比べ、ドアの開閉操作時におけるドアグリップ３０とドアトリム本体２０との一体感を現出させることができ、ドアの開閉操作時の感触を良好にできる。
【００２５】
次いで、図５は、本発明の変形例を示すもので、ドアグリップ３０におけるグリップカバー５０のスイッチエスカッション２４側の端末に嵌合用突起５２が設けられている点は上述実施形態と同一であるが、この変形例においては、嵌合用突起５２の取付方向に沿ってテーパー面となる傾斜面５２ａが形成されている。
【００２６】
従って、ドアグリップ３０の組付作業、すなわち、ドアトリム本体２０にビス止め固定されたグリップベース４０に対して、グリップカバー５０を組み付ける際、グリップカバー５０の嵌合用突起５２の傾斜面５２ａをガイド面として作用させることで、ドアトリム本体２０の嵌着孔２７内にグリップカバー５０の嵌合用突起５２を円滑に嵌め込むことができ、ドアグリップ３０の組付作業性を高めることができるという付随的な利点がある。
【００２７】
【発明の効果】
以上説明した通り、本発明に係るドアグリップの取付構造は、ドアトリム本体とドアパネルに対して共締め固定されるグリップベースに対してグリップカバーを組み付ける際、グリップカバーをドアトリム本体の嵌着孔に嵌合用突起を嵌着固定することにより、ドアグリップにおけるグリップカバーとドアトリム本体とを一体化するという構成であるため、ドアの開閉操作時、グリップカバーの動きにドアトリム本体を追従させることで、グリップカバーとドアトリム本体との合わせ部分にスキ、段差等が生じることがなく、長期に亘り良好な外観見栄えを確保することができるとともに、ドアの開閉操作時、ドアグリップの動きに合わせてドアトリム本体を追従させることで、ドアグリップとドアトリム本体との一体感を現出させることができ、ドアの開閉操作時における感触を良好に保つことができるという作用効果を有する。
【図面の簡単な説明】
【図１】本発明に係るドアグリップの取付構造を採用した自動車用ドアトリムを示す正面図である。
【図２】図１に示すドアトリムにおけるドアグリップの端末部分を示す斜視図である。
【図３】図２中ＩＩＩ　−ＩＩＩ　線断面図である。
【図４】図２中ＩＶ−ＩＶ線断面図である。
【図５】本発明に係るドアグリップの取付構造の変形例を示す要部断面図である。
【図６】ドアグリップを備えたドアトリムを示す正面図である。
【図７】図６中ＶＩＩ　−ＶＩＩ　線断面図である。
【符号の説明】
１０　自動車用ドアトリム
２０　ドアトリム本体
２１　中接部
２２　ドアポケット
２３　スピーカグリル
２４　スイッチエスカッション
２５　取付孔
２６　係止孔
２７　嵌着孔
３０　ドアグリップ
４０　グリップベース
４１　取付孔
４２　ビス
５０　グリップカバー
５１　係止爪
５２　嵌合用突起
５２ａ　傾斜面
６０　ドアパネル
【図１】
2004114914.tif 000003
【図２】
2004114914.tif 000004
【図３】
2004114914.tif 000005
【図４】
2004114914.tif 000006
【図５】
2004114914.tif 000007
【図６】
2004114914.tif 000008
【図７】
2004114914.tif 000009